(57)【特許請求の範囲】
【請求項１】
釣竿の竿元側に取り付けられ、釣竿の穂先側とのバランスを保つための風抵抗器であって、
表面に風を受ける受風部と、
前記受風部を前記釣竿に取り付けるための装着部と、
を備えた風抵抗器。
【請求項２】
前記受風部を風向き方向に対向させるための受風部移動手段をさらに備えている、請求項１に記載の風抵抗器。
【請求項３】
前記受風部及び前記装着部は前記釣竿の軸芯回りに互いに回転自在であり、
前記受風部は、風を受ける袋状の網部と、前記網部の外縁端部が固定される環状の枠部と、前記枠部の一部を支持する支持部とを有している、請求項１又は２に記載の風抵抗器。
【発明の詳細な説明】
【０００１】
【発明の属する技術分野】
本発明は、風抵抗器、特に、釣竿に用いられる風抵抗器に関する。
【０００２】
【従来の技術】
一般に釣竿は、竿体と、竿体の穂先側に設けられた釣り糸係止部と、竿体の竿元側端部に嵌め込まれたグリップとを主に有している。
【０００３】
このような釣竿を用いて釣りを行う場合、特に鮎釣りの場合では、通常８ｍから１０ｍ程度の長竿を使用する。鮎竿等の長竿は最近ではカーボン繊維等を用いて軽量化が図られている。
【０００４】
【発明が解決しようとする課題】
たとえば風の強い日に釣りを行う場合、竿体は風を受け、これにより風の力が竿体に作用する。したがってグリップ部分を中心に風向きに沿ってモーメントが生じる。この結果、竿元側のグリップを把持している釣人は大きな抵抗を受けることになり、釣竿を重く感じることになって疲れやすくなる。
【０００５】
本発明の課題は、釣竿が受ける風の抵抗に起因する操作性の低下を改善することにある。
【０００６】
【課題を解決するための手段】
発明１に係る風抵抗器は、釣竿の竿元側に取り付けられ、釣竿の穂先側とのバランスを保つための風抵抗器であって、表面に風を受ける受風部と、受風部を釣竿に取り付けるための装着部とを備えている。
【０００７】
この風抵抗器はたとえば釣竿の竿元端に取り付けられる。そして釣竿が風を受けると、竿体の竿元側端部に取り付けられた受風部にも穂先側と同様に風向きに沿って力が作用する。受風部の受風面積は、一般的に釣竿の受風面積より大きく確保できるので、この受風部が風によって受ける力は穂先側のそれよりも大きい。このためグリップから離れた穂先側には小さい力が、グリップに近い受風部には大きい力が作用し、穂先側のモーメントが受風部側の逆回りのモーメントによって抑えられる。したがって釣人が全体として受ける力は大きくなるが、穂先側のモーメントは小さくなるので、釣人の疲労は少なくなる。
【０００８】
発明２に係る風抵抗器は、発明１の風抵抗器において、受風部を風向き方向に対向させるための受風部移動手段をさらに備えている。この場合は、受風部移動手段によって、受風部の表面を任意の風向き方向に向かせることができる。したがって、釣人が受風部の表面を風向き方向に合わせるための操作が不要になる。
【０００９】
発明３に係る風抵抗器は、発明１又は２の風抵抗器において、受風部及び装着部は釣竿の軸芯回りに互いに回転自在であり、受風部は、風を受ける袋状の網部と、網部の外縁端部が固定される環状の枠部と、枠部の一部を支持する支持部とを有している。
【００１０】
この場合は、たとえば装着部の支持部側端部及び支持部の装着部側端部の一方に凹部を形成するとともに他方に凸部を形成し、この凹部と凸部とが回転自在に嵌合している。また受風部には袋状の網部が形成されており、受風部は網部によって風を受けるが、風は網部を通過する。したがって釣人が受ける抵抗を低減することができる。
【００１１】
また、袋状の網部を風が通過することにより、吹き流しと同様の作用によって網部の開口側が風に対向する。すなわち、このような構成によって受風部移動手段を実現できる。
【００１２】
【発明の実施の形態】
本発明の一実施形態を採用した風抵抗器は、図１に示すように、風を受ける受風部１と、受風部１を釣竿Ｒの竿元側端部に軸芯回りに回転自在に装着するための装着部２とを有している。
【００１３】
受風部１は、袋状の網部３と、網部３の外周が取り付けられる枠部４と、枠部４を保持するとともに装着部２が装着される支持部５とを備えている。
【００１４】
網部３はたとえばナイロン繊維等からなる網目状の部材であり、その開口側縁部は表面に風を受けるために略円形に形成されている。枠部４はステンレス等の金属製ワイヤ部材を環状に形成したものである。枠部４の両端部６（図２参照）は、それぞれ外周方向に折り曲げられており、この折り曲げられた両端部６は支持部５に固定されている。
【００１５】
装着部２は、図２に拡大して示すように、一端側に支持部５が回転自在に装着されており、他端側には釣竿Ｒに装着するための筒状の釣竿装着部７が形成されている。釣竿装着部７において筒状部分の内周面には、弾性部材８が接着されている。弾性部材８を含む筒状部分の内径は、釣竿Ｒの外径とほぼ同径であるがやや小さく形成されている。このため釣竿Ｒに釣竿装着部７を装着すると、弾性部材８の弾性力によって装着部２と釣竿Ｒとが外れにくくなる。
【００１６】
支持部５の装着部２側端部と装着部２の支持部５側端部とによって、支持部５と装着部２とを釣竿軸芯回りに回転自在に連結する連結部９が構成されている。すなわち、装着部２の支持部５側端部から突出してフランジ部１０が形成され、支持部５の装着部２側端部にはフランジ部１０が回転自在に嵌め込まれる孔部１１が形成されている。フランジ部１０と孔部１１との間には必要に応じてグリース等の潤滑剤が充填されている。
【００１７】
このように構成された風抵抗器が装着される釣竿Ｒは、図３に示すように、竿体２０と、竿体２０の穂先側に設けられた釣り糸係止部２１と、竿体２０の竿元側端部に形成されたグリップ２２とを有しており、鮎釣り等に使用する長竿である。ここでは、釣竿Ｒの竿元側端部に風抵抗器が取り付けられている。
【００１８】
このような風抵抗器が装着された釣竿Ｒに図３の矢印Ａで示す方向の風が作用したとき、穂先側はグリップ２２部分を中心に反時計回りの方向にモーメントａが生じる。このとき竿元側にも同じ方向Ａに風を受けるので、風抵抗器の網部３が風を受けて回転し、網部３の表面に風が作用する。その結果、竿元側はグリップ２２を中心に時計回りの方向にモーメントｂが発生する。このとき、網部３は網目状であるが、受風面積が比較的大きいので、風によって穂先側に作用する力より大きな力を受ける。したがって、受風部１は、グリップ２２のより近い位置に位置しているが、比較的大きな力を受けることができる。このため、穂先側のモーメントａが受風部１によるモーメントｂによって打ち消され、穂先側のモーメントａを小さくすることができる。
【００１９】
〔他の実施形態〕
（ａ）前記実施形態において、風抵抗器は釣竿Ｒの竿元側端部に装着されていたが、これに限定されるものではなく、穂先側のモーメントを打ち消すような位置であればどのような位置に装着してもよい。
（ｂ）前記実施形態において、網部３は袋状に形成されていたが、これに限定されるものではない。
（ｃ）前記実施形態において、枠部４は環状に形成されていたが、網部３を係止可能な他の形状でもよい。
（ｄ）前記実施形態では、釣竿装着部７において筒状部分の内周面には弾性部材８が接着されていたが、これに限定されるものではない。たとえば弾性部材８を設けなくてもよい。
（ｅ）前記実施形態では、連結部９は、装着部２の支持部５側端部から突出してフランジ部１０が形成され、支持部５の装着部２側連結部にはフランジ部１０が回転自在に嵌め込まれる孔部１１が形成されて構成されていたが、これに限定されるものではない。たとえば装着部２に孔部を形成し、支持部５にフランジ部を形成してもよい。
【００２０】
【発明の効果】
本発明によれば、釣竿に装着される風抵抗器において、受風部の表面に風を受けることにより釣竿への抵抗を低減させることができる。この抵抗を低減させることで釣竿のバランスがとりやすくなり、釣竿の操作性を向上させることができる。
【図面の簡単な説明】
【図１】本発明の一実施形態における風抵抗器の平面図。
【図２】前記風抵抗器の回動装着部付近の拡大断面図。
【図３】前記風抵抗器を装着した釣竿の平面図。
【符号の説明】
１  受風部
２  装着部
３  網部
４  枠部
５  支持部
Ｒ  釣竿
【図１】
0004033315.tif 000002
【図２】
0004033315.tif 000003
【図３】
0004033315.tif 000004